(57)【要約】      （修正有）【課題】設置が容易で、安定性が良く、実用性に優れた首掛け式撮像装置を提供する。【解決手段】首掛け式撮像装置は、首掛け式キャリヤ１及びオーディオビデオ処理部を備える。オーディオビデオ処理部は、首掛け式キャリヤ１に設けられるとともに、中央処理ユニット２１と、中央処理ユニット２１に接続された電力ユニット２２と、制御ユニット２３と、入出力ユニットと、メモリユニット２５と、物体認識ユニット２７と、無線ネットワーク通信ユニット２８とを有する。メモリユニット２５には、記憶ユニット２６が接続される。制御ユニット２３は、複数の押しボタン２３１及び表示モニタ２３２を有する。入出力ユニットは、少なくとも１個の音波受信手段２４１と、複数の撮像装置２４２，２４３と、少なくとも２個のスピーカー２４４と、少なくとも１個の表示ランプ２４５とを有する。【選択図】図１
0003209658.tif 000002
【実用新案登録請求の範囲】
【請求項１】
首掛け式キャリヤ及びオーディオビデオ処理部を備えた首掛け式撮像装置であって、
前記オーディオビデオ処理部は、前記首掛け式キャリヤに設けられるとともに、中央処理ユニットと、前記中央処理ユニットに接続された電力ユニットと、制御ユニットと、入出力ユニットと、メモリユニットと、物体認識ユニットと、無線ネットワーク通信ユニットと、を有し、
前記メモリユニットには、記憶ユニットが接続されることを特徴とする首掛け式撮像装置。
【請求項２】
前記首掛け式キャリヤは、支持部及び２個の延伸部を有し、
前記延伸部は、前記支持部の両端から下方へ延び、前記首掛け式キャリヤが略下向きのコ字状を呈することを特徴とする請求項１に記載の首掛け式撮像装置。
【請求項３】
前記制御ユニットは、複数の押しボタン及び表示モニタを有することを特徴とする請求項２に記載の首掛け式撮像装置。
【請求項４】
前記入出力ユニットは、少なくとも１個の音波受信手段と、複数の撮像装置と、少なくとも２個のスピーカーと、少なくとも１個の表示ランプと、を有することを特徴とする請求項２に記載の首掛け式撮像装置。
【請求項５】
前記撮像装置は、前記支持部の一面と、複数の前記延伸部の一側と、前記複数の延伸部の一端面とにそれぞれ設けられることを特徴とする請求項４に記載の首掛け式撮像装置。
【考案の詳細な説明】
【技術分野】
【０００１】
本考案は、首掛け式撮像装置に関し、特に、ドライブレコーダとして用いることができる上、警告音を発生させて運転手の注意を喚起することもできる、首掛け式撮像装置に関する。
【背景技術】
【０００２】
自動二輪車（又は自転車）の運転手は、ドライブレコーダを使用して走行中の画像情報及び走行状態を記録したり、ドライブレコーダで記録した情報を事故が発生したときの証拠として利用したりすることが一般的である。
【０００３】
一般にドライブレコーダを設置する場合、運転手の身体、ヘルメット又は車体に取り付けるためにアタッチメントを使用しなければならないため、設置し難い上、車体に設置すると、路面状況が悪いときにドライブレコーダに大きな揺れが発生するため、撮影した画像がぼけてしまう上、ドライブレコーダが運転手の前方の状況しか撮影することができないため、運転手の後方を撮影したり、運転手に後方の状況を知らせたりすることはできなかった。
【０００４】
そのため、構造が簡素で使用し易く、従来の問題点を大幅に改善する本考案の首掛け式撮像装置が求められていた。
【考案の概要】
【考案が解決しようとする課題】
【０００５】
本考案の主な目的は、設置が容易で、安定性が良く、実用性に優れた首掛け式撮像装置を提供することにある。
【課題を解決するための手段】
【０００６】
上記課題を解決するために、本考案の第１の形態によれば、首掛け式キャリヤ及びオーディオビデオ処理部を備えた首掛け式撮像装置であって、前記オーディオビデオ処理部は、前記首掛け式キャリヤに設けられるとともに、中央処理ユニットと、前記中央処理ユニットに接続された電力ユニットと、制御ユニットと、入出力ユニットと、メモリユニットと、物体認識ユニットと、無線ネットワーク通信ユニットと、を有し、前記メモリユニットには、記憶ユニットが接続されることを特徴とする首掛け式撮像装置が提供される。
【０００７】
前記首掛け式キャリヤは、支持部及び２個の延伸部を有し、前記延伸部は、前記支持部の両端から下方へ延び、前記首掛け式キャリヤが略下向きのコ字状を呈することが好ましい。
【０００８】
前記制御ユニットは、複数の押しボタン及び表示モニタを有することが好ましい。
【０００９】
前記入出力ユニットは、少なくとも１個の音波受信手段と、複数の撮像装置と、少なくとも２個のスピーカーと、少なくとも１個の表示ランプと、を有することが好ましい。
【００１０】
前記撮像装置は、前記支持部の一面と、複数の前記延伸部の一側と、前記複数の延伸部の一端面とにそれぞれ設けられることが好ましい。
【考案の効果】
【００１１】
本考案の首掛け式撮像装置は、使用する際に首掛け式キャリヤを運転手の首部に掛け、オーディオビデオ処理部の前方及び後方の画像情報をキャプチャして記憶することができる上、携帯電話へ送信して運転手に後方の状況を画像で知らせる他、分析した後に、運転手の後方に近すぎる物体があるときにその状況を運転手に知らせ、設置が容易で、安定性が良く、実用性に優れている。
【図面の簡単な説明】
【００１２】
【図１】図１は、本考案の一実施形態に係る首掛け式撮像装置を示す斜視図である。
【図２】図２は、本考案の一実施形態に係る首掛け式撮像装置を示すブロック図である。
【考案を実施するための形態】
【００１３】
以下、本考案を実施形態に基づいて、より具体的に説明する。但し、本考案はこれらの実施形態に何ら限定されるものではない。
【００１４】
図１及び図２を参照する。図１は、本考案の一実施形態に係る首掛け式撮像装置を示す斜視図である。図２は、本考案の一実施形態に係る首掛け式撮像装置を示すブロック図である。図１及び図２に示すように、本考案の一実施形態に係る首掛け式撮像装置は、少なくとも首掛け式キャリヤ１及びオーディオビデオ処理部２から構成されてなる。
【００１５】
上述した首掛け式キャリヤ１は、支持部１１及び２個の延伸部１２を含む。
延伸部１２は、支持部１１の両端から下方へ延び、首掛け式キャリヤ１が略下向きのコ字状を呈する。
【００１６】
オーディオビデオ処理部２は、首掛け式キャリヤ１に設けられるとともに、中央処理ユニット２１と、中央処理ユニット２１に接続された電力ユニット２２と、制御ユニット２３と、入出力ユニット２４と、メモリユニット２５と、物体認識ユニット２７と、無線ネットワーク通信ユニット２８と、を含む。
メモリユニット２５には、記憶ユニット２６が接続される。
制御ユニット２３は、複数の押しボタン２３１及び表示モニタ２３２を含む。
【００１７】
入出力ユニット２４は、少なくとも１個の音波受信手段２４１と、複数の撮像装置２４２，２４３と、少なくとも２個のスピーカー２４４と、少なくとも１個の表示ランプ２４５と、を含む。
電力ユニット２２、音波受信手段２４１、メモリユニット２５、記憶ユニット２６、物体認識ユニット２７及び無線ネットワーク通信ユニット２８は、首掛け式キャリヤ１の内部に設けられる。
【００１８】
各押しボタン２３１は、首掛け式キャリヤ１の外部表面の適宜な箇所に設けられる。
各撮像装置２４２，２４３は、支持部１１の外側面と、延伸部１２のうちの一つの端面とにそれぞれ設置される。
各スピーカー２４４は、各延伸部１２の一側にそれぞれ設けられる。
表示ランプ２４５は、延伸部１２のうちの一つに設けられる。
電力ユニット２２は、充電式電池又は使い捨てタイプの電池でもよい。
音波受信手段２４１は、マイクロフォンでもよい。
メモリユニット２５は、内蔵式メモリである。
記憶ユニット２６は、メモリーカード又はフラッシュメモリードライブでもよい。
【００１９】
無線ネットワーク通信ユニット２８は、Ｂｌｕｅｔｏｏｔｈ（登録商標）通信インタフェース、Ｗｉ−Ｆｉ（登録商標）通信インタフェース、ＮＦＣ（Ｎｅａｒ  Ｆｉｅｌｄ  Ｃｏｍｍｕｎｉｃａｔｉｏｎ）インタフェースでもよい。しかし、図１の各押しボタン２３１、表示モニタ２３２、撮像装置２４２，２４３、スピーカー２４４及び表示ランプ２４５の設置位置は本考案の一実施形態であり、これだけに限定されるわけではなく、実際に運用する際、必要に応じて首掛け式キャリヤ１上の異なる位置に設置してもよい。
【００２０】
本実施形態の首掛け式撮像装置の実際の動作では、電力ユニット２２、制御ユニット２３、入出力ユニット２４、メモリユニット２５、記憶ユニット２６、物体認識ユニット２７及び無線ネットワーク通信ユニット２８が演算したり制御したりする処理センターとして中央処理ユニット２１を用い、電力ユニット２２を動作時の電力源として用い、制御ユニット２３の押しボタン２３１により各項目を設定してからメモリユニット２５に記憶し、表示モニタ２３２により表示し、使用、操作又は設定を行う。
表示ランプ２４５は、異なる色のランプにより使用状態、操作状態又は設定状態を表示する。
【００２１】
運転手が自動二輪車（又は自転車）を運転する際、運転手の首部に首掛け式キャリヤ１を直接掛けて使用することができるため人体工学的に好ましく、従来技術のようにドライブレコーダを運転手の身体、ヘルメット又は車体に設置する必要がないため従来技術の問題点を改善し、車両に固定する必要がないため路面状況が好ましくないときに発生する大きな揺れを防いだり減らしたりすることもでき、設置が容易で安定性が好ましく、首に掛けたときに各撮像装置２４２，２４３が運転手の後ろ側（支持部１１の外側面の撮像装置２４２）と、運転手の前方（延伸部１２の端面の撮像装置２４３）とに対応し、携帯電話は無線ネットワーク通信ユニット２８と通信し、携帯電話をバックミラーに設置することができる。
【００２２】
上述したような構成により、本考案は、走行中に各撮像装置２４２，２４３及び音波受信手段２４１を利用して後方及び前方の画像情報及び環境の音声情報をキャプチャし、画像情報及び音声情報を記憶ユニット２６に記憶し、ドライブレコーダとして使用することができる。
また、本考案は、後方の撮像装置２４２の画像情報を、無線ネットワーク通信ユニット２８を介して携帯電話へ送信し、運転手は、携帯電話を介して後方の画像を見ることができるため、バックミラーで後方を見ることが困難であった問題点を改善することができる。
また、後方の撮像装置２４２の画像情報を物体認識ユニット２７により演算・分析し、後方の物体が近すぎる状況になったときに、スピーカー２４４が警告音を発生させて運転手の注意を喚起することもできるため、実用性に優れている。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１      首掛け式キャリヤ
２      オーディオビデオ処理部
１１      支持部
１２      延伸部
２１      中央処理ユニット
２２      電力ユニット
２３      制御ユニット
２４      入出力ユニット
２５      メモリユニット
２６      記憶ユニット
２７      物体認識ユニット
２８      無線ネットワーク通信ユニット
２３１      押しボタン
２３２      表示モニタ
２４１      音波受信手段
２４２      撮像装置
２４３      撮像装置
２４４      スピーカー
２４５      表示ランプ
【図１】
0003209658.tif 000003
【図２】
0003209658.tif 000004